(57)【要約】【課題】  電子ペンに装着されている芯体を引き抜く場合に、当該芯体に対してダメージを与えないようにして引き抜くことが可能な芯抜き器を提供する。【解決手段】  電子ペン１００のペン先部分を第１の開口Ｃ３に挿入すると、第１の開口Ｃ３の直径Ｒ２は、芯体２のペン先部の直径よりも長いため、芯体２だけが第１の開口Ｃ３内に位置する。この状態から第２の開口Ｃ４内に移動するように電子ペン１００を動かすと、第２の開口Ｃ４の直径は、芯体２のペン先部の直径とほぼ同一であるので、芯体２のペン先部分の外周半周分と第２の開口Ｃ４の内周半周分とが接触する。この状態で電子ペン１００を当該芯抜き器から引き上げると、芯体２が電子ペン１００から引き抜かれる。【選択図】図３
2020187505.tif 000002
【特許請求の範囲】
【請求項１】
電子ペンに装着されている芯体を抜き取る芯抜き器であって、
所定の間隔分ずらした位置に中心を有する第１の開口と第２の開口とを連結することにより、１つの開口部となった芯抜き器を備え、
前記第１の開口は、前記芯体のペン先部の直径よりも長い直径を有し、
前記第２の開口は、前記芯体のペン先部の直径とほぼ同一の直径を有する
ことを特徴とする芯抜き器。
【請求項２】
請求項１に記載の芯抜き器であって、
前記第１の開口と前記第２の開口の対向する直径の端部同士を接続した部分の内側を開口とすることにより、前記第１の開口と前記第２の開口とが連結されている
ことを特徴とする芯抜き器。
【請求項３】
請求項１または請求項２に記載の芯抜き器であって、
前記芯抜き器は、板状に形成されている
ことを特徴とする芯抜き器。
【請求項４】
請求項３に記載の芯抜き機器であって、
前記芯抜き器は、金属あるいは硬質樹脂により形成されている
ことを特徴とする芯抜き器。
【請求項５】
請求項１、請求項２、請求項３または請求項４のいずれかに記載の芯抜き器であって、
１以上の芯体を収納することが可能な芯体収納ホルダーの側面に設けられる
ことを特徴とする芯抜き器。
【発明の詳細な説明】
【技術分野】
【０００１】
この発明は、いわゆる電子ペンに装着された、交換可能な芯体を引き抜くための芯抜き器に関する。
【背景技術】
【０００２】
タブレットＰＣ（Personal computer）などの位置検出装置が搭載された電子機器が広く利用されるようになり、位置検出装置に対する位置指示器として機能する電子ペンの需要が増えてきている。電子ペンは、芯体のペン先を操作面に接触させて移動させることにより、文字、記号、図形などを電子機器に対して入力することができるものであるが、芯体は摩耗する。このため、電子ペンの芯体は交換可能になっているものが多い。
【０００３】
電子ペンに装着された芯体は、ペン先を構成する先端部分が、電子ペンの先端部から突出した状態になっている。しかし、芯体の当該先端部はテーパー形状になっているなどして、使用者が指の爪などを使ってつまみ、電子ペンから引き抜くことは難しい。そこで、後に記す特許文献１に開示されているように、電子ペンに装着されている芯体を簡単に引き抜けるようにする芯抜き器に関する発明が開示されている。
【０００４】
特許文献１に開示された芯抜き器は、芯体を引っ掛けるようにする刃を芯ケースに固定しておき、これに電子ペンに装着されている芯体の先端部（ペン先となる部分）を引っ掛けて、芯体が刃から離れないように斜めに傾けて引き抜くようにするものである。これにより、電子ペンに装着された芯体を、簡単かつ確実に引き抜くことができる。芯体が引き抜かれた電子ペンに対しては、新たな（摩耗していない）芯体を装着することになる。
【先行技術文献】
【特許文献】
【０００５】
【特許文献１】特開２０１０−２０５４４号公報
【発明の概要】
【発明が解決しようとする課題】
【０００６】
近年においては、用途に応じて電子ペンによる書き味を変えたいとする要求がある。電子ペンによる書き味を変えるためには、異なる素材で形成された複数の芯体を用途に応じて変更することが考えられる。このため、用途に応じて、電子ペンに装着する芯体を交換する必要が生じる。しかし、上述した特許文献１に開示された芯抜き器を使用する場合、芯ケースに固定された刃に芯体を引っ掛けて引き抜く構成であるため、芯体が変形したり、芯体の側面が傷ついたりする。摩耗した芯体の交換が目的であれば特許文献１の開示された芯抜き器で充分である。
【０００７】
しかし、用途に応じた芯体の交換が目的であり、引き抜いた芯体も繰り返し利用するものであることを考えると、芯体にダメージを与えることなく引き抜くことが可能な芯抜き器が必要になる。すなわち、特許文献１の開示された芯抜き器を用いた場合、刃に引っ掛かって変形した芯体を再度利用しようとすると、鉛直方向をペン先が正しく示さなくなる場合があると考えられる。また、特許文献１の開示された芯抜き器を用いた場合、側面に傷が付いた芯体を再度使用とすると、電子ペンの開口部に芯体の傷が付いた部分が引っ掛かって、書き味が悪くなったり、筆圧が適切に検出できなくなったりする場合があると考えられる。
【０００８】
以上のことに鑑み、この発明は、繰り返し利用することを想定して、電子ペンに装着されている芯体を引き抜く場合に、当該芯体に対してダメージを与えないようにして引き抜くことが可能な芯抜き器を提供することを目的とする。
【課題を解決するための手段】
【０００９】
上記課題を解決するため、
電子ペンに装着されている芯体を抜き取る芯抜き器であって、
所定の間隔分ずらした位置に中心を有する第１の開口と第２の開口とを連結することにより、１つの開口部となった芯抜き器を備え、
前記第１の開口は、前記芯体のペン先部の直径よりも長い直径を有し、
前記第２の開口は、前記芯体のペン先部の直径とほぼ同一の直径を有する
ことを特徴とする。
【００１０】
この芯抜き器によれば、電子ペンのペン先部分を第１の開口に挿入すると、第１の開口部は、芯体のペン先部の直径よりも長い直径を有するため、芯体だけが第１の開口部内に位置する。この状態から第２の開口内に移動するように電子ペンを動かす。第２の開口は、芯体のペン先部の直径とほぼ同一の直径を有するものであるので、芯体のペン先部分の外周半周分と第２の開口部の内周半周分とが接触する。
【００１１】
この状態のときに、電子ペンを当該芯抜き器から上にあげるようにすると、芯体が電子ペンから引き抜かれ、芯抜き器の第２の開口部の部分に残る。芯体のペン先部分の外周半周分と第２の開口部の内周半周分とが嵌合した状態で引き抜かれるので、芯体が変形したり、傷が付いたりすることなく、芯体を電子ペンから引き抜くことができる。
【図面の簡単な説明】
【００１２】
【図１】実施の形態の芯抜き器が設けられた替え芯ホルダーを説明するための図である。
【図２】実施の形態の芯抜き器が設けられた替え芯ホルダーの外観を説明するための図である。
【図３】実施の形態の芯抜き器の構成を説明するための図である。
【発明を実施するための形態】
【００１３】
図１は、実施の形態の芯抜き器が設けられた替え芯ホルダー１を説明するための図である。具体的に、図１（Ａ）は替え芯ホルダー１の分解斜視図であり、図１（Ｂ）は組み立てられた替え芯ホルダー１の使用態様を説明するための図である。図１（Ａ）に示すように、替え芯ホルダー１は、例えば硬質樹脂で形成されたトップケース１１とボトムケース１５との間に、インナートレイ１２、ステッカ１３、テープ１４（１）、１４（２）が積層されて構成される。
【００１４】
インナートレイ１２は、例えば、ウレタンやスポンジなどの弾性を有する素材により板状に形成されたものであり、３つの凹部が設けられている。当該３つの凹部は、芯体２（１）、２（２）、２（３）の形状に合致するものであり、芯体２（１）、２（２）、２（３）が収納される。芯体２（１）、２（２）、２（３）のそれぞれは、異なる素材で形成されたものであり、それぞれ異なる書き味を実現する。芯体２（１）、２（２）、２（３）の形成材料には、例えば、ＰＯＭ（ポリアセタール）、ＴＰＥ（サーモプラスチックエラストマー）、その他の材料が用いられる。
【００１５】
ボトムケース１５内には、内側側面から内側に向かって少なくとも４つのプレート状（板状）の突起１５ａ、１５ｂ、１５ｃ、１５ｄが形成されている。突起１５ａ、１５ｂは、インナートレイ１２を横方向から押さえる。また、突起１５ｃ、１５ｄは、インナートレイ１２の下面に形成されたスリットに嵌まり込む。これにより、インナートレイ１２をボトムケース１５内の所定の位置に保持することができる。ステッカ１３は、芯体２（１）、２（２）、２（３）の型番などが記載されたものであり、テープ１４（１）、１４（２）は、ステッカ１３をボトムケース１５の内側に貼付しておくためのものである。
【００１６】
トップケース１１に対しては、図１（Ａ）の左側よりインナートレイ１２等が収納されたボトムケース１５が差し込まれることにより、一体となった引き出し式の替え芯ホルダー１が構成される。図１（Ｂ）に示すように、トップケース１１からボトムケース１５を引き出すと、ボトムケース１５に載置されたインナートレイ１２が出現し、これに収納されている芯体２（１）、２（２）、２（３）を取り出すことができる。芯体２（１）、２（２）、２（３）のいずれかを取り出した後においては、ボトムケース１５をトップケース１１に対して押し込むようにすると、ボトムケース１５とトップケース１１は重なり合って、１つの箱体となる。なお、以下においては、芯体２（１）、２（２）、２（３）を総称して芯体２と記載する。
【００１７】
この実施の形態の替え芯ホルダー１には、図１（Ａ）、図１（Ｂ）上では観視できない位置であるために示していないが、長辺に沿う側面に、この発明による芯抜き器が搭載されている。図２は、実施の形態の芯抜き器が設けられた替え芯ホルダー１の外観を説明するための図である。替え芯ホルダー１の長辺に沿う側面、図２においては上面１１Ａに芯抜き器１１Ｘが設けられている。
【００１８】
すなわち、上面１１Ａの右端部側に大きさが同じ２つの円形状の開口を連結した開口部１１ＡＨが設けられている。この開口部１１ＡＨ内に、金属プレート１１Ｐを配置し、金属プレート１１Ｐに大きさの異なる２つの円形状の開口を連結して形成した開口部１１Ｈを設けることにより芯抜き器１１Ｘが構成される。なお、芯抜き器１１Ｘの主要部分となる芯抜き部は、開口部１１Ｈが設けられている金属プレート１１Ｐである。開口部１１Ｈが設けられている金属プレート１１Ｐからなる芯抜き部は、これ自体でも芯抜き器として機能するが、替え芯ホルダー１などの筐体に設けられることにより、使い勝手の良い芯抜き器１１Ｘを実現できる。
【００１９】
図３は、実施の形態の芯抜き器１１Ｘの構成を説明するための図である。具体的に、図３（Ａ）は、芯体２が装着された電子ペン１００の先端部の構成を説明するための図であり、図３（Ｂ）は、芯体２のペン先部の構成を説明するための図である。また、図３（Ｃ）は、芯抜き器１１Ｘの具体的な構成例を説明するための図である。
【００２０】
図３（Ａ）に示すように、電子ペン１００の装着部１０１に対して、芯体２が着脱可能にされている。電子ペン１００のペン先側の端面は、直径ＰＷの円形状に構成されている。また、図３（Ｂ）に示すように、電子ペン１００に着脱可能にされる芯体２のペン先部は円柱状の芯体がテーパー形状に加工されたテーパー部分を備える。芯体２のテーパー部分のペン先とは反対側の部分には、軸心に沿う方向に延伸された裾部２ｘが設けられている。この裾部２ｘは直径ＴＷの円柱状の部分である。なお、芯体２の直径というときには、図３（Ｂ）に示したように、芯体２の裾部２ｘの直径ＴＷを意味する。
【００２１】
この実施の形態の芯抜き器１１Ｘは、電子ペン１００のペン先側の端面の直径ＰＷと芯体２の裾部２ｘの直径ＴＷを考慮して構成される。この実施の形態の芯抜き器１１Ｘは、図３（Ｃ）に示すように、上面１１Ａの右端部側には、開口部１１ＡＨを設ける。この開口部１１ＡＨは、直径Ｒ１の円形状の開口Ｃ１、Ｃ２を、その中心が同一直線状に位置すると共に、開口Ｃ１、Ｃ２の一部分が重なりあうようにして形成したものである。
【００２２】
直径Ｒ１は、電子ペン１００のペン先側の端面の直径ＰＷよりやや長くなっている。また、円形状の開口Ｃ１と円形状の開口Ｃ２の対向する直径の端部は、直線Ｌ１、Ｌ２により接続され、その内側も開口とされている。すなわち、開口Ｃ１の左側の半円部分と、開口Ｃ２の右側の半円部分と、それらの半円部分の円周部分の対抗する端部を接続する直線Ｌ１、Ｌ２とで囲まれた部分が全体として１つの開口部１１ＡＨとなっている。
【００２３】
開口部１１ＡＨ内には、金属プレート１１Ｐを設ける。金属プレート１１Ｐは、トップケース１１の上面１１Ａの裏面に移動しないように固定されている。金属プレート１１Ｐに対しては、開口部１１ＡＨの内周に沿って所定幅の淵部が残るようにして、円形状の開口Ｃ３と円形状の開口Ｃ４とを連結した形状の開口部１１Ｈを形成する。２つの開口Ｃ３と開口Ｃ４の中心は、同一直線状に位置する。また、円形状の開口Ｃ３の直径Ｒ２は、電子ペン１００のペン先側の端面の直径ＰＷより短く、芯体２の直径ＴＷより長い。また、円形状の開口Ｃ４の直径Ｒ３は、芯体２の直径ＴＷとほぼ同一の長さとされる。従って、開口Ｃ３の直径Ｒ２は、開口Ｃ４の直径Ｒ３よりも長い。
【００２４】
開口Ｃ３と開口Ｃ４の対向する直径の端部は、直線Ｌ３、Ｌ４により接続され、その内側も開口とされる。すなわち、開口Ｃ３の左側の半円部分と、開口Ｃ４の右側の半円部分と、それらの半円部分の円周部分の対抗する端部を接続する直線Ｌ３、Ｌ４とで囲まれた部分が１つの開口部１１Ｈとなっている。このように、上面１１Ａに設けられた開口部１１ＡＨに中に、金属プレート１１Ｐを設け、この金属プレート１１Ｐに対して、開口部１１ＡＨの内周に沿って所定幅の淵部を残すようにして、開口部１１Ｈが形成されることにより芯抜き器１１Ｘが構成される。
【００２５】
芯抜き器１１Ｘを用いて電子ペンに装着された芯体２抜き出す（取り外す）場合には、図２の矢印が示すように、芯体２が装着された電子ペン１００を操作する。なお、図２においては、説明を簡単にするため、芯体２しか示していないが、実際には芯体２が装着された電子ペン１００が用いられて、以下の操作が行われる。すなわち、図２の下矢印が示すように、芯体２が装着された電子ペン１００を芯抜き器１１Ｘの開口Ｃ３に差し込む。次に、電子ペン１００を芯抜き器１１Ｘに差し込んだ状態で、図２の右矢印が示すように、開口Ｃ４に移動させる。この後、電子ペン１００を上に持ち上げることにより、芯体２を芯抜き器１１Ｘに残して、電子ペン１００を芯抜き器１１Ｘから引き離すことができる。すなわち、電子ペンから芯体２を引き抜ける。
【００２６】
芯抜き器１１Ｘの利用態様を、図３を参照しながらより詳しく説明する。図３（Ａ）に示したように、電子ペン１００に装着されている芯体２を引き抜こうとする場合、テーパー形状部分を指の爪でつまんで引き抜こうとしても、滑ってつまめない。そこで、芯体２の裾部２ｘ部分をつまみたいが、図３（Ａ）に示したように、芯体２の裾部２ｘは、僅かにしか電子ペン１００のペン先側の端面から突出していないので、うまくつまめない。従って、電子ペン１００に装着されている芯体２は、使用者の指でつまんで簡単に引き抜くことはできない。
【００２７】
そこで、図３（Ａ）に示したように、芯体２が装着された状態の電子ペン１００を、芯体２が金属プレート１１Ｐに形成されている大きな円形状の開口Ｃ３に入るように差し込む。これにより、芯体２は開口Ｃ３に差し込まれた状態となるが、電子ペン１００のペン先側の端面は、開口Ｃ３の周囲の金属プレート１１Ｐが形成する淵部に上側から当接し、それ以上差し込まれることがないように抑制される。また、この場合においては、電子ペン１００のペン先側の端面から僅かに突出した芯体２の裾部２ｘが、金属プレート１１Ｐにより形成される淵部の内周部分に対して接触可能な状態となる。
【００２８】
この後、電子ペン１００の芯体２の裾部２ｘが、金属プレート１１Ｐが形成する淵部の部分であって、右側の円形状の開口Ｃ４の外側の半円部分（右端部分）に当接するまで摺動移動する。上述もしたように、開口Ｃ４の直径と芯体２の裾部２ｘ部分の直径とはほぼ同じになるようにされているので、裾部２ｘの外周と開口Ｃ４の内周とは一致するものとなる。従って、芯体２の裾部２ｘの外周と開口Ｃ４の内周（開口Ｃ４側の金属プレート１１Ｐの淵部の内周）とは、半周分に渡って接触する。
【００２９】
このため、芯体２の裾部２ｘの外周と開口Ｃ４の内周の半周分に渡る接触部分においては、大きな摩擦力が生じる。従って、芯体２の裾部２ｘの外周と開口Ｃ４の内周とが接触している状態のまま電子ペン１００を上に引き上げると、芯体２だけが芯抜き器１１Ｘに残り、電子ペン１００から芯体２を引き抜ける。このように、替え芯ホルダー１に設けられた芯抜き器１１Ｘは、電子ペン１００に装着されている芯体２を傷付けることなく、簡単に取り外し、替え芯ホルダー１内の他の芯体と交換できる。また、取り外された芯体２は、傷が付いていることもないので、替え芯ホルダー１に収納しておくことにより、繰り返して利用することができる。
【００３０】
［実施の形態の効果］
以上、説明したように、上述した実施の形態において、電子ペン１００に装着された芯体２の裾部２ｘの外周部分が、半周に渡って金属プレート１１Ｐの開口Ｃ４の内周部分に接した状態で、電子ペン１００から引き抜くようにされる。このように、芯体２裾部２ｘの外周の半周に渡る部分を押さえるようにして、芯体２を引き抜くことができる。すなわち、芯体２の裾部の１点若しくは２点といった特定部位だけに大きな負荷がかかることがないので、電子ペン１００から引き抜かれる芯体２が変形したり、傷ついたりすることない。また、きわめて簡単に、かつ、迅速に、大きな力を掛けることもなく、電子ペン１００に装着された芯体２を電子ペン１００から引き抜くことができる。
【００３１】
これにより、書き味を変えるためなどのために、例えば素材の異なる芯体２（１）、２（２）、２（３）について、電子ペン１００に対して着脱を繰り返すようにして使用しても、芯体２（１）、２（２）、２（３）は大きなダメージを受けない。これにより、不都合を生じさせることなく、芯体２（１）、２（２）、２（３）を繰り返し使用することができる。
【００３２】
［変形例］
なお、芯抜き器１１Ｘにおいて、金属プレート１１Ｐにおいて、開口部１１Ｈを構成する円形状の開口Ｃ３と円形状の開口Ｃ４との距離を種々に調整してもよい。開口Ｃ３と開口Ｃ４との距離を長くとるようにして開口部１１Ｈを形成した場合には、電子ペン１００に装着された芯体２を抜き取るために、芯抜き器１１Ｘ部分において電子ペンを摺動移動させる距離を長くすることができる。逆に、開口Ｃ３と開口Ｃ４との距離を短くとるようにして開口部１１Ｈを形成した場合には、電子ペン１００に装着された芯体を抜き取るために、芯抜き器１１Ｘ部分において電子ペン１００を摺動移動させる距離を短くすることができる。開口Ｃ３と開口Ｃ４との距離は、芯体２の確実な抜き取り操作を行うために適切な長さとすればよい。
【００３３】
また、金属プレート１１Ｐに替えて、例えば、プラスチックなどの硬質樹脂プレートを用いるようにしてもよい。すなわち、金属プレート１１Ｐは、同様の機能を実現する種々の材料の板部材を用いることができる。
【００３４】
また、この発明の芯抜き器は、使用対象の電子ペンのペン先側の端面の直径ＰＷ、用いられる芯体２のペン先の裾部２ｘの直径ＴＷを基準として、図３（Ｃ）を用いて説明したように、種々のサイズのものを実現できる。
【００３５】
また、芯抜き器１１Ｘは、替え芯ホルダー１に設ける場合に限るものではない。芯抜き器を単体で構成することもできるし、例えば、ペンケースや電子機器に装着するペンホルダーなど、種々の周辺文具や周辺部材等に、芯抜き器１１Ｘを設けるようにしてもよい。
【符号の説明】
【００３６】
１…替え芯ホルダー、１１…トップケース、１２…インナートレイ、１３…ステッカ、１４（１）、１４（２）…テープ、１５…ボトムケース、１５ａ、１５ｂ、１５ｃ、１５ｄ…突起、１１Ａ…上面、１１ＡＨ…開口部、１１Ｐ…金属プレート、１１Ｈ…開口部、１１Ｘ…芯抜き器、２、２（１）、２（２）、２（３）…芯体、２ｘ…裾部、Ｃ１、Ｃ２、Ｃ３、Ｃ４…開口、Ｌ１、Ｌ２、Ｌ３、Ｌ４…直線、Ｒ１、Ｒ２、Ｒ３…直径、ＰＷ…電子ペンのペン先側の端面の直径、ＴＷ…芯体の直径、１００…電子ペン、１０１…装着部
【図１】
2020187505.tif 000003
【図２】
2020187505.tif 000004
【図３】
2020187505.tif 000005